(57)【要約】【課題】固定時間撮影モードで撮影を行うときの使い勝手を更に向上させる。【解決手段】固定時間撮影モードにおいて、マイクロコンピュータ１０５は、記録ボタン１０６が操作された場合、記録するための記録メディア１１０の残容量を検出し、その検出された記録メディア１１０の残容量から記録可能時間を算出する。次に、算出された記録可能時間から記録可能シーン数を算出し、その記録可能シーン数を表示するための表示信号を生成する。これにより、撮影者が記録可能シーン数を容易に把握することが可能になり、使い勝手の良いビデオカメラを実現することが可能となる。【選択図】図１
2010141573.tif 000002
【特許請求の範囲】
【請求項１】
所定の操作に応じて撮像部で撮像した映像信号を記録媒体に記録する撮像装置であって、
前記所定の操作がなされると、前記記録媒体への記録を開始し、予め定められた一定時間経過後に記録を停止する記録手段と、
前記記録媒体の残容量から記録可能時間を算出する記録可能時間算出手段と、
前記記録可能時間算出手段により算出された記録可能時間と前記予め定められた一定時間とから記録可能シーン数を算出する記録可能シーン数算出手段と、
前記記録可能シーン数算出手段により算出された記録可能シーン数を表示手段に表示する表示制御手段とを備えたことを特徴とする撮像装置。
【請求項２】
所定の操作に応じて撮像部で撮像した映像信号を記録媒体に記録する撮像装置であって、
前記所定の操作がなされる毎に前記記録媒体への記録と記録停止とを交互に切り替える第１の撮影モードと、前記所定の操作がなされると、前記記録媒体への記録を開始し、予め定められた一定時間経過後に記録を停止する第２の撮影モードとのうち選択された撮影モードを実行する記録手段と、
前記記録媒体の残容量から記録可能時間を算出する記録可能時間算出手段と、
前記第２の撮影モードが選択されているときに、前記記録可能時間算出手段により算出された記録可能時間と前記予め定められた一定時間とから記録可能シーン数を算出する記録可能シーン数算出手段と、
前記第１の撮影モードが選択されているときは、前記記録可能時間算出手段により算出された記録可能時間を表示手段に表示し、前記第２の撮影モードが選択されているときは、前記記録可能シーン数算出手段により算出された記録可能シーン数を表示手段に表示する表示制御手段とを備えたことを特徴とする撮像装置。
【請求項３】
所定の操作に応じて撮像部で撮像した映像信号を記録媒体に記録する撮像装置であり、前記所定の操作がなされると、前記記録媒体への記録を開始し、予め定められた一定時間経過後に記録を停止する記録手段を備えた撮像装置の制御方法であって、
前記記録媒体の残容量から記録可能時間を算出するステップと、
前記算出された記録可能時間と前記予め定められた一定時間とから記録可能シーン数を算出するステップと、
前記算出された記録可能シーン数を表示手段に表示するステップとを有することを特徴とする撮像装置の制御方法。
【請求項４】
所定の操作に応じて撮像部で撮像した映像信号を記録媒体に記録する撮像装置であり、前記所定の操作がなされる毎に前記記録媒体への記録と記録停止とを交互に切り替える第１の撮影モードと、前記所定の操作がなされると、前記記録媒体への記録を開始し、予め定められた一定時間経過後に記録を停止する第２の撮影モードとのうち選択された撮影モードを実行する記録手段を備えた撮像装置の制御方法であって、
前記記録媒体の残容量から記録可能時間を算出するステップと、
前記第１の撮影モードが選択されているときは、前記算出された記録可能時間を表示手段に表示し、前記第２の撮影モードが選択されているときは、前記算出された記録可能時間と前記予め定められた一定時間とから記録可能シーン数を算出し、その算出された記録可能シーン数を表示手段に表示するステップとを有することを特徴とする撮像装置の制御方法。
【請求項５】
所定の操作に応じて撮像部で撮像した映像信号を記録媒体に記録する撮像装置であり、前記所定の操作がなされると、前記記録媒体への記録を開始し、予め定められた一定時間経過後に記録を停止する記録手段を備えた撮像装置を制御するためのプログラムであって、
前記記録媒体の残容量から記録可能時間を算出する処理と、
前記算出された記録可能時間と前記予め定められた一定時間とから記録可能シーン数を算出する処理と、
前記算出された記録可能シーン数を表示手段に表示する処理とをコンピュータに実行させるためのプログラム。
【請求項６】
所定の操作に応じて撮像部で撮像した映像信号を記録媒体に記録する撮像装置であり、前記所定の操作がなされる毎に前記記録媒体への記録と記録停止とを交互に切り替える第１の撮影モードと、前記所定の操作がなされると、前記記録媒体への記録を開始し、予め定められた一定時間経過後に記録を停止する第２の撮影モードとのうち選択された撮影モードを実行する記録手段を備えた撮像装置を制御するためのプログラムであって、
前記記録媒体の残容量から記録可能時間を算出する処理と、
前記第１の撮影モードが選択されているときは、前記算出された記録可能時間を表示手段に表示し、前記第２の撮影モードが選択されているときは、前記算出された記録可能時間と前記予め定められた一定時間とから記録可能シーン数を算出し、その算出された記録可能シーン数を表示手段に表示する処理とをコンピュータに実行させるためのプログラム。
【発明の詳細な説明】
【技術分野】
【０００１】
本発明は、固定時間撮影モードを有する撮像装置、その制御方法及びプログラムに関し、特に固定時間撮影モード中におけるカメラの状態表示に関するものである。
【背景技術】
【０００２】
初心者がビデオカメラを使用して被写体を撮影する際、『撮影するという行為』に集中しなくてはならず撮影者の負担になっていた。しかも、１カットのシーンがだらだらと長くなりがちになるため、撮影したシーンを再生し鑑賞しても面白みが無く、何度も見るということにはならない。これらが、デジタルスチルカメラ（以下デジタルカメラと称する）とは異なりビデオカメラの使用頻度が極端に低い要因となっていた。
【０００３】
そこで、例えば特許文献１、２には、記録開始から予め定められた固定時間（ドラマや映画といった専門家が撮影した映像のカット割に相当する時間）経過後に自動的に記録を停止する固定時間撮影モードを有する撮像装置が提案されている。このような撮影は「スナップ動画撮影」とも呼ばれる。特許文献１、２の提案では、記録開始からの経過時間に関連した表示が行われるので、撮影者は記録開始からの経過時間（すなわち撮影時間）を容易に認識することができる。これにより、無駄の無いカットを撮影することが容易となり、後から再生した時に鑑賞しやすい画面を得ることが可能となる。
【０００４】
【特許文献１】特開平６−１５３０２８号公報
【特許文献２】特開平７−１５６９３号公報
【発明の開示】
【発明が解決しようとする課題】
【０００５】
従来の撮像装置では、撮影時に撮影者にかかる負担を少なくすることができ、ビデオカメラをデジタルカメラのような感覚で使うことができるようになる。しかしながら、記録媒体の空き容量や記録可能な時間をビデオカメラのビューファインダ等に表示することにとどまっていたため、撮影者が後どれくらい（何カット）のシーンを撮影できるのか認識することができないという課題があった。
【０００６】
本発明は以上のような状況に鑑みてなされたものであり、固定時間撮影モードで撮影を行うときの使い勝手を更に向上させることを目的とする。
【課題を解決するための手段】
【０００７】
本発明の撮像装置は、所定の操作に応じて撮像部で撮像した映像信号を記録媒体に記録する撮像装置であって、前記所定の操作がなされると、前記記録媒体への記録を開始し、予め定められた一定時間経過後に記録を停止する記録手段と、前記記録媒体の残容量から記録可能時間を算出する記録可能時間算出手段と、前記記録可能時間算出手段により算出された記録可能時間と前記予め定められた一定時間とから記録可能シーン数を算出する記録可能シーン数算出手段と、前記記録可能シーン数算出手段により算出された記録可能シーン数を表示手段に表示する表示制御手段とを備えたことを特徴とする。
本発明の別の撮像装置は、所定の操作に応じて撮像部で撮像した映像信号を記録媒体に記録する撮像装置であって、前記所定の操作がなされる毎に前記記録媒体への記録と記録停止とを交互に切り替える第１の撮影モードと、前記所定の操作がなされると、前記記録媒体への記録を開始し、予め定められた一定時間経過後に記録を停止する第２の撮影モードとのうち選択された撮影モードを実行する記録手段と、前記記録媒体の残容量から記録可能時間を算出する記録可能時間算出手段と、前記第２の撮影モードが選択されているときに、前記記録可能時間算出手段により算出された記録可能時間と前記予め定められた一定時間とから記録可能シーン数を算出する記録可能シーン数算出手段と、前記第１の撮影モードが選択されているときは、前記記録可能時間算出手段により算出された記録可能時間を表示手段に表示し、前記第２の撮影モードが選択されているときは、前記記録可能シーン数算出手段により算出された記録可能シーン数を表示手段に表示する表示制御手段とを備えたことを特徴とする。
本発明の撮像装置の制御方法は、所定の操作に応じて撮像部で撮像した映像信号を記録媒体に記録する撮像装置であり、前記所定の操作がなされると、前記記録媒体への記録を開始し、予め定められた一定時間経過後に記録を停止する記録手段を備えた撮像装置の制御方法であって、前記記録媒体の残容量から記録可能時間を算出するステップと、前記算出された記録可能時間と前記予め定められた一定時間とから記録可能シーン数を算出するステップと、前記算出された記録可能シーン数を表示手段に表示するステップとを有することを特徴とする。
本発明の別の撮像装置の制御方法は、所定の操作に応じて撮像部で撮像した映像信号を記録媒体に記録する撮像装置であり、前記所定の操作がなされる毎に前記記録媒体への記録と記録停止とを交互に切り替える第１の撮影モードと、前記所定の操作がなされると、前記記録媒体への記録を開始し、予め定められた一定時間経過後に記録を停止する第２の撮影モードとのうち選択された撮影モードを実行する記録手段を備えた撮像装置の制御方法であって、前記記録媒体の残容量から記録可能時間を算出するステップと、前記第１の撮影モードが選択されているときは、前記算出された記録可能時間を表示手段に表示し、前記第２の撮影モードが選択されているときは、前記算出された記録可能時間と前記予め定められた一定時間とから記録可能シーン数を算出し、その算出された記録可能シーン数を表示手段に表示するステップとを有することを特徴とする。
本発明のプログラムは、所定の操作に応じて撮像部で撮像した映像信号を記録媒体に記録する撮像装置であり、前記所定の操作がなされると、前記記録媒体への記録を開始し、予め定められた一定時間経過後に記録を停止する記録手段を備えた撮像装置を制御するためのプログラムであって、前記記録媒体の残容量から記録可能時間を算出する処理と、前記算出された記録可能時間と前記予め定められた一定時間とから記録可能シーン数を算出する処理と、前記算出された記録可能シーン数を表示手段に表示する処理とをコンピュータに実行させる。
本発明の別のプログラムは、所定の操作に応じて撮像部で撮像した映像信号を記録媒体に記録する撮像装置であり、前記所定の操作がなされる毎に前記記録媒体への記録と記録停止とを交互に切り替える第１の撮影モードと、前記所定の操作がなされると、前記記録媒体への記録を開始し、予め定められた一定時間経過後に記録を停止する第２の撮影モードとのうち選択された撮影モードを実行する記録手段を備えた撮像装置を制御するためのプログラムであって、前記記録媒体の残容量から記録可能時間を算出する処理と、前記第１の撮影モードが選択されているときは、前記算出された記録可能時間を表示手段に表示し、前記第２の撮影モードが選択されているときは、前記算出された記録可能時間と前記予め定められた一定時間とから記録可能シーン数を算出し、その算出された記録可能シーン数を表示手段に表示する処理とをコンピュータに実行させる。
【発明の効果】
【０００８】
本発明によれば、記録可能シーン数を算出して表示することができ、撮影者が記録可能シーン数を容易に把握することが可能になり、使い勝手の良いビデオカメラを実現することが可能となる。
【発明を実施するための最良の形態】
【０００９】
以下、添付図面を参照して、本発明の好適な実施形態について説明する。
（第１の実施形態）
図１は、第１の実施形態に係る撮像装置の構成を示すブロック図である。１０１は撮影レンズである光学ズームレンズである。１０２は撮像素子であるＣＣＤであり、光学ズームレンズ１０１による光学像を電気信号に変換する。本実施形態では、このＣＣＤ１０２等により本発明でいう撮像部が構成される。
【００１０】
１０３はカメラ映像信号処理回路であり、ＣＣＤ１０２から出力された映像信号を予め決められている映像規格に合うよう映像信号処理を行う。１１０は規格化された映像信号を記録するための記録メディア（記録媒体）である。記録メディア１１０としては、テープやハードディスク、メモリ等、映像信号を記録できるメディアであれば種別は問わない。１０４は記録部であり、記録メディア１１０に映像信号を記録する。１０５はマイクロコンピュータ（以下マイコンと称する）であり、全体のシステムを制御する。１０６は撮影者が映像信号の記録メディア１１０への記録開始の指示を行うための記録ボタンである。
【００１１】
１０７は表示信号生成回路であり、撮影者にカメラ本体の状態を通知するための信号を生成する。１０８はミックス回路であり、映像信号に表示信号を重畳して表示させる。１０９はモニタ出力回路であり、出力端子（図示せず）から映像信号を表示手段であるモニタに出力する。
【００１２】
次に、第１の実施形態に係る撮像装置の処理動作について説明する。本実施形態に係る撮像装置は、記録ボタン１０６が操作されると、記録メディア１１０への記録を開始し、予め定められた一定時間経過後に自動的に記録を停止する固定時間撮影モードを実行可能である。
【００１３】
光学ズームレンズ１０１より入射した被写体像は、ＣＣＤ１０２によって電気信号に変換され、カメラ映像信号処理回路１０３に入力される。カメラ映像信号処理回路１０３では、見た目の色あいを人間の記憶色に近い色に加工するためのホワイトバランス処理、γ等の非線形信号処理、或いは解像感を付加するためのアパーチャ処理等を施し記録部１０４へ出力する。
【００１４】
記録部１０４は、記録メディア１１０に映像信号を記録するための制御を行う。撮影者が映像信号を記録メディア１１０に記録する場合は、記録ボタン１０６を操作する。マイコン１０５では、記録ボタン１０６が操作されたことを検出すると、記録部１０４に記録開始を行うための記録開始命令を出力する。
【００１５】
一方、マイコン１０５は、固定時間撮影モードにおいて、記録メディア１１０の残容量から記録可能シーン数を算出する。表示信号生成回路１０７では、マイコン１０５で算出された記録可能なシーン数をモニタ出力回路１０９を介して表示するための表示信号を生成する。ミックス回路１０８では、カメラ映像信号処理回路１０３から出力された映像信号に表示信号生成回路１０７で生成された記録可能シーン数の情報を重畳する。モニタ出力回路１０９では、ミックス回路１０８から出力された映像信号に記録可能シーン数の情報を重畳させた状態で表示する。
【００１６】
次に、図２のフローチャートを参照して、固定時間撮影モードにおいて、マイコン１０５で記録可能シーン数を算出するための具体的な処理の流れを説明する。マイコン１０５は、記録するための記録メディア１１０の残容量を検出する（ステップＳ２０３）。続いて、ステップＳ２０３で検出された記録メディア１１０の残容量から記録可能時間を算出する（ステップＳ２０４）。記録可能時間の算出は、カメラ本体の画質設定にあるようにビットレートの設定に依存するので、撮影者が選択している画質設定に応じて算出する。この処理が本発明でいう記録可能時間算出手段による処理例である。
【００１７】
次に、ステップＳ２０４で算出された記録可能時間から記録可能シーン数を算出し（ステップＳ２０５）、その記録可能シーン数を表示するための表示信号を生成する（ステップＳ２０６）。例えば、ステップＳ２０４で算出された記録可能時間が９８０秒とし、１シーンは４秒と予め定められている場合、９８０秒÷４秒＝２４５となり、「２４５シーン」と表示するための表示信号を生成する。この処理が本発明でいう記録可能シーン数算出手段、表示制御手段による処理例である。
【００１８】
次に、図３のフローチャートを参照して、固定時間撮影モードにおいて、マイコン１０５で記録を開始し記録を終了するまでの具体的な処理の流れを説明する。まず、記録可能シーン数を算出する（ステップＳ３０１）。ステップＳ３０１の記録可能シーン数を算出する具体的な処理は、図２のフローチャートで説明済みであるので、ここでは説明を割愛する。
【００１９】
次に、本発明でいう所定の操作である記録ボタン１０６の操作が行われたかどうかを判断する（ステップＳ３０２）。記録ボタン１０６が操作されていない場合はＮＯに分岐し、記録ボタン１０６の操作を待つ。
【００２０】
記録ボタン１０６が操作された場合はＹＥＳに分岐し、マイコン１０５は記録部１０４に対して記録を開始するための記録開始命令を出力し、記録部１０４では記録開始命令を受けて記録を開始する（ステップＳ３０３）。
【００２１】
次に、記録開始後の１カットのシーンの時間は、予め定められた一定時間であるので、その一定時間が経過したかどうかを判断する（ステップＳ３０４）。一定時間が経過したと判断された場合はＹＥＳに分岐し、自動で記録が停止する（ステップＳ３０５）。
【００２２】
図５に、モニタ出力回路１０９から出力された映像信号にマイコン１０５で算出された記録可能シーン数を重畳し表示させた例を図示する。撮影者は、モニタに出力された表示を見て、固定時間撮影モードにおいて記録可能なシーン数が２４５シーンであることが把握しやすくなる。
【００２３】
以上述べたように、記録メディア１１０の残容量から記録可能シーン数を算出し、ＥＶＦやモニタに表示することにより、撮影者が記録可能シーン数を容易に把握することが可能になり、使い勝手の良いビデオカメラを実現することが可能となる。
【００２４】
次に、図４のフローチャートを参照して、動画再生モード時に記録された動画情報として記録済みの動画の全シーン数と、現在再生中の動画シーンの番号をＥＶＦやモニタに表示する方法について説明する。まず、記録済の全シーン数を検出する（ステップＳ３０６）。ステップＳ３０６の記録済み全シーン数を検出する具体的な処理は、記録メディア１１０の管理情報をマイコン１０５で読み出し算出する。次に、再生中のシーン番号を検出する（ステップＳ３０７）。ステップＳ３０７の再生中のシーン番号を検出する具体的な処理は、マイコン１０５で再生するシーンを制御するためマイコン１０５で算出する。次に、記録済み全シーン数と再生中のシーン番号を表示する（ステップＳ３０８）。具体的には、ステップＳ３０６とステップＳ３０７で検出した値を、ＥＶＦやモニタに表示する。
【００２５】
図６に、記録メディア１１０に記録された動画の全シーン数と、現在再生中の動画シーンの番号をＥＶＦやモニタに表示させた例を図示する。
【００２６】
以上述べたように、動画を鑑賞している使用者が現在再生されているシーンが動画全体のシーン数に対してどの位置にあるのか容易に把握することが可能になり、使い勝手の良いビデオカメラを実現することが可能となる。
【００２７】
（第２の実施形態）
図７は、第２の実施形態に係る撮像装置の構成を示すブロック図である。なお、図１に示した撮像装置と同様の構成には同じ符号を付し、その説明を省略する。５０２は撮影モードを切り替えるための撮影モード切替スイッチである。ここでいう撮影モードとは、記録ボタン１０６が操作される毎に記録開始と記録停止とを交互に切り替える第１の撮影モード（撮影モード１：いわゆる通常の撮影モード）と、記録ボタン１０６が操作されると、記録メディア１１０への記録を開始し、予め定められた一定時間経過後に自動的に記録を停止する第２の撮影モード（撮影モード２：固定時間撮影モード）のことである。
【００２８】
次に、第２の実施形態に係る撮像装置の処理動作について説明する。光学ズームレンズ１０１より入射した被写体像は、ＣＣＤ１０２によって電気信号に変換され、カメラ映像信号処理回路１０３に入力される。カメラ映像信号処理回路１０３では、見た目の色あいを人間の記憶色に近い色に加工するためのホワイトバランス処理、γ等の非線形信号処理、或いは解像感を付加するためのアパーチャ処理等を施し記録部１０４へ出力する。
【００２９】
記録部１０４は、記録メディア１１０に映像信号を記録するための制御を行う。撮影者が映像信号を記録メディア１１０に記録する場合は、記録ボタン１０６を操作する。マイコン１０５では、記録ボタン１０６が操作されたことを検出すると、記録部１０４に記録開始を行うための記録開始命令を出力する。
【００３０】
ここで、撮影モード切替スイッチ５０２で撮影モード１が選択されている場合は、記録ボタン１０６が操作される毎に記録開始と記録停止とを交互に切り替えるという動作になる。この場合、撮影者に対しては記録メディア１１０に今後どれだけ記録が可能なのか示すための記録可能時間を表示させるほうが良い。そこで、マイコン１０５は、記録メディア１１０の残容量から記録可能時間を算出する。表示信号生成回路１０７では、マイコン１０５で算出された記録可能時間をモニタ出力回路１０９を介して表示するための表示信号を生成する。ミックス回路１０８では、カメラ映像信号処理回路１０３から出力された映像信号に表示信号生成回路１０７で生成された記録可能時間の情報を重畳する。モニタ出力回路１０９では、ミックス回路１０８から出力された映像信号に記録可能時間の情報を重畳させた状態で表示する。
【００３１】
一方、撮影モード切替スイッチ５０２で撮影モード２が選択されている場合は、記録ボタン１０６が操作されると、記録メディア１１０への記録を開始し、予め定められた一定時間経過後に自動的に記録を停止するという動作になる。この場合、撮影者に対しては記録メディア１１０に今後どれだけ記録が可能なのか示すための記録可能シーン数を表示させるほうが良い。そこで、マイコン１０５で記録メディア１１０の残容量から記録可能シーン数を算出する。表示信号生成回路１０７では、マイコン１０５で算出された記録可能シーン数をモニタ出力回路１０９を介して表示するための表示信号を生成する。ミックス回路１０８では、カメラ映像信号処理回路１０３から出力された映像信号に表示信号生成回路１０７で生成された記録可能シーン数の情報を重畳する。モニタ出力回路１０９では、ミックス回路１０８から出力された映像信号に記録可能シーン数の情報を重畳させた状態で表示する。
【００３２】
次に、図８のフローチャートを参照して、マイコン１０５で記録可能シーン数又は記録可能時間を算出するための具体的な処理の流れを説明する。なお、図２のフローチャートを同様の処理には同じ符号を付して説明する。マイコン１０５は、記録するための記録メディア１１０の残容量を検出する（ステップＳ２０３）。続いて、ステップＳ２０３で検出された記録メディア１１０の残容量から記録可能時間を算出する（ステップＳ２０４）。記録可能時間の算出は、カメラ本体の画質設定にあるようにビットレートの設定に依存するので、撮影者が選択している画質設定に応じて算出する。この処理が本発明でいう記録可能時間算出手段による処理例である。
【００３３】
次に、マイコン１０５は、撮影モード切替スイッチ５０２で撮影モード２が選択されているかどうかを判断する（ステップＳ４０１）。
【００３４】
撮影モード２が選択されている場合はＹＥＳに分岐し、ステップＳ２０４で算出された記録可能時間から記録可能シーン数を算出し（ステップＳ２０５）、その記録可能シーン数を表示するための表示信号を生成する（ステップＳ２０６）。例えば、ステップＳ２０４で算出された記録可能時間が９８０秒とし、１シーンは４秒と予め定められている場合、９８０秒÷４秒＝２４５となり、「２４５シーン」と表示するための表示信号を生成する。この処理が本発明でいう記録可能シーン数算出手段、表示制御手段による処理例である。
【００３５】
一方、撮影モード２が選択されていない、すなわち撮影モード１が選択されている場合はＮＯに分岐し、ステップＳ２０４で算出された記録可能時間を表示するための表示信号を生成する（ステップＳ４０２）。例えば、ステップＳ２０４で算出された記録可能時間が９８０秒である場合、９８０秒は１６分と２０秒であるため、記録可能時間を「００：１６：２０」と表示するための表示信号を生成する。この処理が本発明でいう表示制御手段による処理例である。
【００３６】
次に、図９のフローチャートを参照して、マイコン１０５で記録を開始し記録を終了するまでの具体的な処理の流れを説明する。図９（ａ）は、図８のステップＳ４０１で撮影モード２が選択されていると判断された場合の処理である。本発明でいう所定の操作である記録ボタン１０６の操作が行われたかどうかを判断する（ステップＳ７０３）。記録ボタン１０６が操作されていない場合はＮＯに分岐し、記録ボタン１０６の操作を待つ。
【００３７】
記録ボタン１０６が操作された場合はＹＥＳに分岐し、マイコン１０５は記録部１０４に対して記録を開始するための記録開始命令を出力し、記録部１０４では記録開始命令を受けて記録を開始する（ステップＳ７０４）。
【００３８】
次に、記録開始後の１カットのシーンの時間は、予め定められた一定時間であるので、その一定時間が経過したかどうかを判断する（ステップＳ７０５）。一定時間が経過したと判断された場合はＹＥＳに分岐し、自動で記録が停止する（ステップＳ７０６）。
【００３９】
図９（ｂ）は、図８のステップＳ４０１で撮影モード１が選択されていると判断された場合の処理である。記録ボタン１０６の操作が行われたかどうかを判断する（ステップＳ７０８）。記録ボタン１０６が操作されていない場合はＮＯに分岐し、記録ボタン１０６の操作を待つ。
【００４０】
記録ボタン１０６が操作された場合はＹＥＳに分岐し、マイコン１０５は記録部１０４に対して記録を開始するための記録開始命令を出力し、記録部１０４では記録開始命令を受けて記録を開始する（ステップＳ７０９）。記録が開始して時間が経つに伴って記録可能時間が変化するので、記録中も記録可能時間を算出する（ステップＳ７１０）。
【００４１】
また、記録ボタン１０６の操作が行われたかどうかを判断し（ステップＳ７１１）、記録ボタン１０６が操作されていない場合はＮＯに分岐し、記録可能時間の算出を定期的に行う（ステップＳ７１０）。記録ボタン１０６が操作された場合はＹＥＳに分岐し、記録を停止する（ステップＳ７１２）。
【００４２】
図１０に、撮影モード切替スイッチ５０２で撮影モード２が選択されている場合に、モニタ出力回路１０９から出力された映像信号にマイコン１０５で算出された記録可能シーン数を重畳し表示させた例を図示する。撮影者は、モニタに出力された表示を見て、固定時間撮影モードにおいて記録可能なシーン数が２４５シーンであることが把握しやすくなる。
【００４３】
図１１に、撮影モード切替スイッチ５０２で撮影モード１が選択されている場合に、モニタ出力回路１０９から出力された映像信号にマイコン１０５で算出された記録可能時間を重畳し表示させた例を図示する。撮影者は、モニタに出力された表示を見て記録可能時間が１６分と２０秒であることが把握しやすくなる。
【００４４】
以上述べたように、撮影者が選択した撮影モードに応じて、記録メディア１１０の残容量から記録可能シーン数を算出し、ＥＶＦやモニタに表示したり、記録可能時間を算出し、ＥＶＦやモニタに表示したりする。これにより、撮影モードに応じて撮影者が必要とする情報を容易に把握することが可能になり、使い勝手の良いビデオカメラを実現することが可能となる。
【００４５】
なお、本発明の目的は、上述した実施形態の機能を実現するソフトウェアのプログラムコードを記録した記憶媒体を、システム或いは装置に供給することによっても達成される。この場合、そのシステム或いは装置のコンピュータ（又はＣＰＵやＭＰＵ）が記憶媒体に格納されたプログラムコードを読み出し実行する。
【００４６】
この場合、記憶媒体から読み出されたプログラムコード自体が上述した実施形態の機能を実現することになり、プログラムコード自体及びそのプログラムコードを記憶した記憶媒体は本発明を構成することになる。
【００４７】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００４８】
また、コンピュータが読み出したプログラムコードを実行することにより、上述した実施形態の機能が実現されるだけに限らない。例えば、そのプログラムコードの指示に基づき、コンピュータ上で稼動しているＯＳ（基本システム或いはオペレーティングシステム）等が実際の処理の一部又は全部を行い、その処理によって上述した実施形態の機能が実現されてもよい。
【００４９】
さらに、記憶媒体から読み出されたプログラムコードが、コンピュータに挿入された機能拡張ボードやコンピュータに接続された機能拡張ユニットに備わるメモリに書き込まれる形態でもよい。この場合メモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される。
【図面の簡単な説明】
【００５０】
【図１】第１の実施形態に係る撮像装置の構成を示すブロック図である。
【図２】第１の実施形態において記録可能シーン数を算出するための処理の流れを説明するフローチャートである。
【図３】第１の実施形態において記録を開始し記録を終了するまでの処理の流れを説明するフローチャートである。
【図４】第１の実施形態において動画再生モード時に記録された動画情報として記録済みの動画の全シーン数と、現在再生中の動画シーンの番号をＥＶＦやモニタに表示する処理を説明するフローチャートである。
【図５】映像信号に記録可能シーン数を重畳し表示させた例を示す図である。
【図６】記録された動画の全シーン数と、現在再生中の動画シーンの番号を表示させた例を示す図である。
【図７】第２の実施形態に係る撮像装置の構成を示すブロック図である。
【図８】第２の実施形態において記録可能シーン数又は記録可能時間を算出するための処理の流れを説明するフローチャートである。
【図９】第２の実施形態において記録を開始し記録を終了するまでの処理の流れを説明するフローチャートである。
【図１０】映像信号に記録可能シーン数を重畳し表示させた例を示す図である。
【図１１】映像信号に記録可能時間を重畳し表示させた例を示す図である。
【符号の説明】
【００５１】
１０１  レンズ
１０２  ＣＣＤ
１０３  カメラ映像信号処理回路
１０４  記録部
１０５  マイクロコンピュータ
１０６  記録ボタン
１０７  表示信号生成回路
１０８  ミックス回路
１０９  モニタ出力回路
１１０  記録メディア
５０２  撮影モード切替スイッチ
【図１】
2010141573.tif 000003
【図２】
2010141573.tif 000004
【図３】
2010141573.tif 000005
【図４】
2010141573.tif 000006
【図５】
2010141573.tif 000007
【図６】
2010141573.tif 000008
【図７】
2010141573.tif 000009
【図８】
2010141573.tif 000010
【図９】
2010141573.tif 000011
【図１０】
2010141573.tif 000012
【図１１】
2010141573.tif 000013